(57)【要約】【課題】本発明は玄関回りに設置可能な収納家具ユニットに関し、下足棚を備える収納家具ユニットに隣接する空きスペースを物品の長さや大きさに合わせて自由に変更して有効活用をはかり、下足棚を備える前記収納家具ユニット本体に対する統一感を発揮して整然と収納が行え、また玄関での出入りが円滑に行え、しかも内部に収納する物品を一見して把握でき、さらには清掃も容易であり、構造が簡単にして製作および組立が容易で製作コストが安価になす。【解決手段】玄関スペース２に備えられ、下足棚８,８・・・を内部に設ける収納家具ユニット本体１Ａに対する空きスペース部分Ｐにおいて対向配置される壁面に奥行方向Ｚに沿って対向して係合手段９,９を設け、適宜物品を収納する収納籠体１０の上部外側縁に突設した係合鍔１０ａ,１０ａを前記係合手段に摺動可能に係合させた。【選択図】      図１
2004194714.tif 000002
【特許請求の範囲】
【請求項１】
玄関スペースに備えられ、下足棚を内部に設ける収納家具ユニット本体に対する空きスペース部分において対向される壁面の奥行方向に沿って対向して係合手段を設け、適宜物品を収納する収納籠体の上部外側縁に突設した係合鍔を前記係合手段に摺動可能に係合させることにより前記収納籠体を抜差自在に設けたことを特徴とする玄関回りに設置可能な収納家具ユニット。
【請求項２】
玄関スペースに備えられ、下足棚を内部に設ける収納家具ユニット本体に隣接する空きスペース部分において組み合わせ使用される他の収納家具ユニット本体の左右に対向する側面板に奥行方向に沿って対向して係合手段を設け、適宜物品を収納する収納籠体の上部外側縁に突設した係合鍔を前記係合手段に摺動可能に係合させることにより前記収納籠体を抜差自在に設けたことを特徴とする玄関回りに設置可能な収納家具ユニット。
【請求項３】
玄関スペースに備えられ、内部に下足棚を設ける収納家具ユニット本体の左右何れかの側面板の奥行方向に沿って対向して係合手段を下足棚間に設け、適宜物品を収納する収納籠体の上部外側縁に突設した係合鍔を前記係合手段に摺動可能に係合させることにより前記収納籠体を抜差自在に設けたことを特徴とする玄関回りに設置可能な収納家具ユニット。
【請求項４】
前記係合手段は、断面略Ｈ字状、断面略コ字状、もしくは断面略Ｌ字状の何れかのレール材であることを特徴とする請求項１，２,３に記載の収納家具ユニット。
【請求項５】
前記係合手段には、フック材が吊り下げ可能になる網棚の両側縁を係合載置することを特徴とした請求項１,２,３,４に記載の収納家具ユニット。
【請求項６】
前記収納籠体は、合成樹脂または金属線により所望深さに上面が開口された略箱形に形成されることを特徴とする請求項１,２,３,４,５に記載の収納家具ユニット。
【請求項７】
前記収納籠体は、上部外側縁に突設される係合鍔の下方にくびれ部を介して下方部を前記係合鍔と略同幅に拡大して形成されたことを特徴とする請求項１,２,３,４,５,６に記載の収納家具ユニット。
【請求項８】
前記収納籠体には、必要に応じて金属製または合成樹脂製の受皿が底部に収納可能に設けられたことを特徴とする請求項１,２,３,４,５,６,７に記載の収納家具ユニット。
【請求項９】
前記収納家具ユニット本体の前面に開閉可能に設けられる扉の裏面等の所望の個所に合成樹脂又は金属線よりなる平面略コ字状のスリッパ掛けを着脱可能に取付たことを特徴とする請求項１,２,３,４,５,６,７,８に記載の収納家具ユニット。
【発明の詳細な説明】
【０００１】
【発明の属する技術分野】
本発明は玄関回りに設置可能な収納家具ユニットに関し、例えばマンション、集合住宅等の玄関スペースに備えられるものであり、靴、サンダル等の下足を載置する固定式の下足棚を内部に設けた収納家具ユニット本体に対してその回りの空きスペースを有効活用して例えば下足棚には収納し難い長靴、ブーツ等の長さが長い履き物のほか、長傘、テニスラケット、釣竿等の長さが長かったり、ゴルフバッグのような大きい外容積の物品を大きさに合わせて収納スペースを自由に変更し、収納するのに最適に使用するようにした。
【０００２】
【従来の技術】
従来、マンション、集合住宅等では、玄関スペースに備えられる収納家具ユニットとして、縦横、奥行等の寸法が規格化され、前面には扉を開閉可能に設けた収納家具本体を玄関の間取りや設置面積に合わせて建て込み、この収納家具本体の内部に多段に設けた固定式の下足棚に靴、サンダル等の下足を載置し、下足の収納を行うものがあった（例えば、特許文献１参照。）。
また、下足棚を備える上記特許文献１に記載されるような収納家具ユニットに隣接する空きスペースには、間口が狭い他の家具を組込む等して使用に供していた。
【０００３】
【特許文献１】
実開平６−８６５８２号公報（[００１０]、図１）
【０００４】
【発明が解決しようとする課題】
しかしながら、特許文献１に記載の上記従来の収納家具ユニットは、固定式の下足棚を収納家具ユニット内に多段に設ける構成なので、例えば靴、サンダル等の下足を下足棚に載置し、収納するために使用するのに過ぎなかった。
従って、下足棚を備える収納家具ユニットに隣接する空きスペースは、有効活用されないことが多かった。また、下足棚を備える収納家具ユニットに隣接する空きスペースに建て込まれ、該空きスペースよりも間口が狭い他の組み合わせ家具も、多段に固定式の収納棚を設けるのにすぎないので、例えば長靴、ブーツ等の長さが長い履き物のほか、長傘、テニスラケット、釣竿等の長さが長かったり、ゴルフバッグのような大きい外容積の物品を、大きさに合わせて収納スペースを自由に変更し、最適に収納するために使用するには不向きであった。また、このような間口が狭い組み合わせ家具を使用せずに、前記空きスペースに、長靴等の長さが長い下足や、長傘、ゴルフバッグ等の物品を単に立てかけたり、置いているのでは、玄関スペースにおいて下足棚を備える収納家具ユニットに対する統一性に欠け、外観的にも雑然とするかりではなく、物品が倒れて邪魔したり、躓くこともあり、出入りに支障を来し、危険であった。
【０００５】
本発明は上記従来の欠点を解決し、下足棚を備える収納家具ユニットに隣接する空きスペースを物品の長さや大きさに合わせて自由に変更して有効活用がはかれ、また外観的にも下足棚を備える収納家具ユニット本体に対する統一性を発揮し、また物品が不用意に倒れることなく、整然と収納することができ、玄関での出入りが円滑に行え、さらには内部に収納する物品を一見して把握でき、また、清掃も容易に行え、構造が簡単にして製作および組立が容易で製作コストが安価な玄関回りに設置可能な収納家具ユニットを提供するものである。
【０００６】
【課題を解決するための手段】
本発明は上記課題に鑑みなされ、請求項１に記載の発明は、玄関スペースに備えられ、下足棚を内部に設ける収納家具ユニット本体に対する空きスペース部分において対向される壁面の奥行方向に沿って対向して係合手段を設け、適宜物品を収納する収納籠体の上部外側縁に突設した係合鍔を前記係合手段に摺動可能に係合させることにより前記収納籠体を抜差自在に設けたことを特徴とするという手段を採用した。
【０００７】
また、本発明の請求項２に記載の発明は、玄関スペースに備えられ、下足棚を内部に設ける収納家具ユニット本体に隣接する空きスペース部分において組み合わせ使用される他の収納家具ユニット本体の左右に対向する側面板に奥行方向に沿って対向して係合手段を設け、適宜物品を収納する収納籠体の上部外側縁に突設した係合鍔を前記係合手段に摺動可能に係合させることにより前記収納籠体を抜差自在に設けたことを特徴とするという手段を採用した。
【０００８】
また、本発明の請求項３に記載の発明は、玄関スペースに備えられ、内部に下足棚を設ける収納家具ユニット本体の左右何れかの側面板の奥行方向に沿って対向して係合手段を下足棚間に設け、適宜物品を収納する収納籠体の上部外側縁に突設した係合鍔を前記係合手段に摺動可能に係合させることにより前記収納籠体を抜差自在に設けたことを特徴とするという手段を採用した。
【０００９】
また、本発明の請求項４に記載の発明は、請求項１，２,３において、前記係合手段は、断面略Ｈ字状、断面略コ字状、もしくは断面略Ｌ字状の何れかのレール材であることを特徴とするという手段を採用した。
【００１０】
また、本発明の請求項５に記載の発明は、請求項１,２,３,４において、前記係合手段には、フック材が吊り下げ可能になる網棚の両側縁を係合載置することを特徴としたという手段を採用した。
【００１１】
また、本発明の請求項６に記載の発明は、請求項１,２,３,４,５において、前記収納籠体は、合成樹脂または金属線により所望深さに上面が開口された略箱形に形成されることを特徴とするという手段を採用した。
【００１２】
また、本発明の請求項７に記載の発明は、請求項１,２,３,４,５,６において、前記収納籠体は、上部外側縁に突設される係合鍔の下方にくびれ部を介して下方部を前記係合鍔と略同幅に拡大して形成されたことを特徴とするという手段を採用した。
【００１３】
また、本発明の請求項８に記載の発明は、請求項１,２,３,４,５,６,７において、前記収納籠体には、必要に応じて金属製または合成樹脂製の受皿が底部に収納可能に設けられたことを特徴とするという手段を採用した。
【００１４】
また、本発明の請求項９に記載の発明は、請求項１,２,３,４,５,６,７,８において、前記収納家具ユニット本体の前面に開閉可能に設けられる扉の裏面等の所望の個所に合成樹脂又は金属線よりなる平面略コ字状のスリッパ掛けを着脱可能に取付たことを特徴とするという手段を採用した。
【００１５】
【発明の実施の形態】
以下、本発明の実施の形態の具体例を図面に従って説明する。
図１は本発明の玄関回りに設置可能な収納家具ユニットの一実施形態を示し、扉を取去った状態を示す正面図、図２は同じく扉を閉じた状態の正面図、図３は図２のＡ−Ａ断面図、図４は同じく図２のＢ−Ｂ断面図、図５は本実施形態を構成する下足棚を備えた収納家具ユニット本体を示す拡大斜視図、図６は同じく空きスペースに収納籠体を収納した本実施形態を構成する他の収納家具ユニット本体を示す拡大斜視図、図７は同じく正面図、図８は同じく本実施形態を構成する収納籠体の係合鍔を係合手段に係止した状態を部分的に示した拡大正面図、図９は本実施形態を形成する収納籠体の他の変形例を示す正面図、図１０は係合手段の他の変形例を示す拡大正面図、図１１は同じく係合手段の第２の変形例を示す拡大正面図、図１２は同じく本実施形態を構成するスリッパ掛けを適用した斜視図である。
【００１６】
１Ａは玄関スペース２に備えられる収納家具ユニット本体であり、この収納家具ユニット本体１Ａは対向する左右の側面板３,３と、上下に対向する天面板４および地面板５と、背板６とにより全体形状が略箱形をなして玄関スペース２に建て込まれ、前面には図２に示すように扉７,７が開閉可能に設けられる。８は収納家具本体１Ａの内部に、前記側面板３,３間に多段に、本実施形態では８段に設けられる下足棚であり、この下足棚８,８・・・には例えば靴、サンダル等の下足が載置され、収納される。この下足棚８,８・・・は、例えば予め側面板３,３の内側に少なくとも２個づつ対向して上下方向に所定間隔に設けたダボ穴内に嵌入されるダボに左右の両端部の下面が係止されることにより側面板３,３間に高さを調整可能に架設される。そして、本実施形態では、収納家具ユニット本体１Ａの上下中間、すなわち上方から４段目に位置する下足棚８だけは左右の側面板３,３に釘、ビス等を用いて組付けられる。
【００１７】
１Ｂは前記下足棚８,８・・・を内部に設ける収納家具ユニット本体１Ａに隣接する空きスペース部分Ｐにおいて、収納家具ユニット本体１Ａに対し組み合わせ使用される他の収納家具ユニット本体であり、この収納家具ユニット本体１Ｂは前記収納家具ユニット本体１Ａよりも幅狭に形成され、その左右対向する側面板３′,３′には奥行方向Ｚに沿って対向して係合手段９を設けている。また、４′は収納家具ユニット本体１Ｂの天面板、５′は必要に応じて設けられる地面板、６′は背板である。
【００１８】
１０は収納籠体であり、この収納籠体１０は、合成樹脂または金属線により所望幅Ｗ、図示する実施形態では例えば４００ｍｍ、かつ所望深さＨ、図示する実施形態では例えば４００ｍｍの上面が開口された略箱形に形成される。そして、この収納籠体１０の上部外側縁、図６、図７、図８に示すように少なくとも左右に突設された係合鍔１０ａを前記係合手段９に摺動可能に係合させることにより、収納籠体１０は収納家具ユニット本体１Ｂ内に抜差可能に収納される。このように、係合鍔１０ａを収納籠体１０の少なくとも左右に突設したのは、収納籠体１０の前後に突設しなくても、係合鍔１０ａを前記係合手段９に摺動可能に係合させることにより、収納籠体１０を収納家具ユニット本体１Ｂ内に抜差可能に収納できるからである。
【００１９】
また、図９に示すように、前記収納籠体１０は、上部外側縁に突設された係合鍔１０ａの下方に中心方向に縮径化されたくびれ部１０ｂを介して該くびれ部１０ｂの下方部１０ｃを係合鍔１０ａと略同幅に内容積を拡大させることにより収納籠体１０内部に収容するための物品の収容量を拡大することもできる。
【００２０】
１１は必要に応じて前記収納籠体１０の底部に収納可能に設けられた金属製または合成樹脂製の受皿であり、この受皿１１は収納籠体１０内に収納される物品が網目から落下するのを防止したり、物品の重量が大きい場合に耐えて支持したり、さらには物品が長傘である場合等に付着されている雨水が流れ落ちるのを防止するのに使用される。
【００２１】
前記係合手段９は、例えば合成樹脂または金属にて形成され、例えば図６、図７、図８に示すように、左右の上部外端部が上方へ起立する取付部９ａと、前記収納籠体１０の上部外側縁に突設した係合鍔１０ａを摺動可能に支持するための案内支持部９ｂとを下側に有する断面略Ｈ字状に形成されるレール材であるが、この係合手段９は、最適な実施形態を示すものであり、図６、図７、図８に示すもののほか、例えば図１０に示すように、断面略コ字状に形成されるもの、さらには図１１に示すように断面略Ｌ字状に形成されるものが使用される。
【００２２】
また、この係合手段９は、図１、図４に示すように、収納家具ユニット本体１Ｂ内において側面板３′,３′に収納籠本体１０を摺動可能に取付けるのに使用するほか、収納家具ユニット本体１Ｂの側面板３′,３′に高さを違えて複数段、本実施形態では４段が対向して設けられる。そして、この係合手段９にはフック材１３が吊り下げ可能になる網棚１２の左右両側縁１２ａ,１２ａを摺動可能に係合載置することにより収納家具ユニット本体１Ｂ内に網棚１２を抜差可能に収納するようになっている。
収納家具ユニット本体１Ｂの側面板３′,３′に対する係合手段９の取付は、例えばビス止めによるとか、または釘着するとか、接着剤を用いて接着するとかの何れかの固定手段により取付けられる。
【００２３】
また、前記係合手段９は、内部に下足棚８,８・・・を設ける収納家具ユニット本体１Ａの左右何れかの側面板３と、該側面板３の何れかに対向して収納家具ユニット本体１Ａの内部の前記下足棚８間、例えば図示するように下足棚８の下面に垂下した支持板１４との対向する壁面に奥行方向Ｚに沿って対向して設けられる。そして、前記収納籠体１０よりも深さＨが例えば１０ｃｍ以下と浅く、上面が開口された略箱形の収納籠体１０′の上部外側縁、例えば左右に突設した係合鍔１０′ａが前記係合手段９,９に摺動可能に係合されることにより、この収納籠体１０′には例えば靴磨きに必要なブラシ、靴クリーム、磨布等の用具が収納される。
また、収納籠体１０′の左右に突設した係合鍔１０′ａ,１０′ａを抜差可能に係合するための取付位置は、図には示さないが一方の係合手段９は収納家具ユニット本体１ａの左右何れかの側面板３の下足棚８の直下に取り付けるようにすれば、他方の係合手段９は下足棚８に垂下する支持板を用いることなく、直接下足棚８に取付ることにより対向して係合手段９,９を取付ることもできる。
【００２４】
図１２において１５は前記収納家具ユニット本体１Ａの前面に開閉可能に設けられる扉７,７の裏面等の所望の個所にビス止め等の適宜固定手段により着脱自在に取付られる合成樹脂又は金属線よりなる平面略コ字状のスリッパ掛けであり、このスリッパ掛け１５にはスリッパ１６の下半部が扉７の裏面との間に生ずる間隙Ｋ内に挿入されることによりスリッパ１６は首部１６ａがスリッパ掛け１５に係合されて抜差し可能に掛けられるようになっている。
【００２５】
本発明の一実施形態は以上の構成からなり、玄関スペース２に備えられ、下足棚８,８・・・を内部に設けた収納家具ユニット本体１Ａに隣接する空きスペース部分Ｐにおいて、この収納家具ユニット本体１Ａに対し組み合わせ使用される他の収納家具本体１Ｂには、その左右対向する側面板３′,３′に奥行方向Ｚに沿って対向して案内支持部９ｂを下側に有する断面略Ｈ字状に形成されるレール材としての係合手段９を設けている。しかも、合成樹脂または金属線により所望幅Ｗ、例えば幅Ｗが４００ｍｍであり、かつ所望深さＨ、例えば深さＨが４００ｍｍの上面が開口された略箱形をなす収納籠体１０の上部外側縁、例えば上部の左右に突設した係合鍔１０ａが、前記係合手段９,９の下側に設けた案内支持部９ｂに摺動可能に係合することにより、収納家具ユニット本体１Ａの下足棚８,８・・・に対して収納家具ユニット本体１Ｂ内に収納籠体１０を抜差可能に収納しているので、例えば収納家具ユニット本体１Ａ内に設けた下足棚８,８・・・に載置、収納される例えば靴、サンダル等の下足以外の例えば長靴、ブーツ等のように靴、サンダルよりは長さが長い履き物のほか、長傘、テニスラケット、釣竿等のように長さが長い物品を収納籠体１０の上方に配置される網棚１２を係合手段９,９から抜き取ることにより物品の長さに合わせて収納家具ユニット本体１Ｂ内の収納スペースを拡張して自由に変更することにより収納することができる。
【００２６】
また、物品を収納するための収納籠体１０は、例えば図９に示すように、上部外側縁に突設された係合鍔１０ａの下方に設けるくびれ部１０ｂを介して下方部１０ｃを係合鍔１０ａと略同幅に拡大させることにより収納籠体１０内に収納される物品の収容量を図１、図４、図６、図７に示す収納籠体１０よりも拡大することもできる。
【００２７】
この際、必要に応じて収納籠体１０の底部には、金属製または合成樹脂製の受皿１１を収納しておくと、この受皿１１により物品が収納籠体１０の網目から落下するのを防止して収納籠体１０内に物品を収納するほか、物品の重量が大きい場合には収納籠体１０内に収納される受皿１１が剛性を発揮して物品の重量に耐えて堅牢に物品を支持することができる。さらには、物品が長傘である場合には、長傘に付着された雨水は受皿１１に受け止められて流れ落ちるのを阻止して汚れを防止することができる。
【００２８】
そして、収納籠体１０内に収納された例えば長靴、ブーツ等のように靴、サンダルよりは長さが長い履き物のほか、長傘、テニスラケット、釣竿等のように長さが長い物品を使用に供するには、収納籠体１０の左右に突設した係合鍔１０ａを収納家具ユニット本体１Ｂの左右対向する側面板３′,３′に奥行方向Ｚに沿って対向して設けたレール材としての係合手段９,９の下側に配した案内支持部９ｂに対して摺動することにより収納籠体１０を引き出せば、収納籠体１０内から物品を容易に取出して使用に供することができる。
もちろん、収納籠体１０内に収納される履き物は、前述のような長い履き物、長傘、テニスラケット、釣竿等はもとより長さが短いものでもよく、小形のものでもよい。そして、収納籠体１０の網目を通じて収納籠体１０の内部に収納した物品を収納籠体１０の外部から容易に確認することができる。
【００２９】
また、本実施形態では、収納家具ユニット本体１Ｂの左右対向する側面板３′,３′に奥行方向Ｚに沿って対向して設けた係合手段９,９は、図６、図７、図８に示すように、断面略Ｈ字状に形成されたものを使用する場合を代表的に説明しているが、これは例示であり、係合手段９,９は、図６、図７、図８に示すもののほか、例えば例えば図１０に示すように、断面略コ字状に形成されるもの、さらには図１１に示すように断面略Ｌ字状に形成されるものを使用した場合にも、収納籠体１０の上部外側縁に突設した左右の係合鍔１０ａを係合手段９の下側に配した案内支持部９ｂに摺動可能に支持することにより収納籠体１０を抜き差可能に支持することができる。
【００３０】
また、ゴルフバッグやベビイカーのように外容積が大きな物品は、この収納籠体１０と、その収納籠体１０の上方に配置された所望個数の網棚１２を物品の外容積の大きさに合わせて収納家具ユニット本体１Ｂの左右の側面板３′,３′に対向して設けた係合手段９,９から抜き取ることにより収納家具ユニット本体１Ｂ内の収納スペースを拡大させて自由に変更することにより収納家具ユニット本体１Ｂ内に収納することができる。そのため、収納家具ユニット本体１Ａに隣接する空きスペース部分Ｐを有効活用することができる。
【００３１】
また、下足棚８,８・・・を内部に設ける収納家具ユニット本体１Ａに隣接する空きスペース部分Ｐには、この収納家具ユニット本体１Ａに対し組み合わせ使用される幅狭の他の収納家具ユニット本体１Ｂの側面板３′,３′に、収納籠体１０の上方に高さを違えて複数段、本実施形態では４段の係合手段９が対向して設けられ、しかもこの係合手段９の下側に設けた案内支持部９ｂには、網棚１２の左右の両側縁１２ａ,１２ａを摺動可能に係合、載置しているので、所望の物品を網棚１２に載置して収納家具ユニット本体１Ｂ内に収納することができる。また、この網棚１２の網目には例えばＳ字状のフック材１３の上端部が吊り下げ可能になるので、所望高さの網棚１２に吊下げられたフック材１３に、例えばコート、レインコート等の物品をフック材１３に吊下げることにより収納家具ユニット本体１Ｂ内に収納することができる。
【００３２】
従って、上記のように、靴等を収納するための下足棚８,８・・・を内部に設ける収納家具ユニット本体１Ａに隣接する空きスペース部分Ｐにおいて、この収納家具ユニット本体１Ａに対し組み合わせ使用される他の収納家具ユニット本体１Ｂ内に、長靴等の長さが長い下足や、長傘、ゴルフバッグ等の物品を不用意に立てかけたり、置くのではなく収納できるので、玄関スペース２において下足棚８,８・・・を備える収納家具ユニット本体１Ａに対して収納家具ユニット本体１Ｂは統一性が生まれ、外観的にも整理整頓がなされ、しかも物品が不用意に倒れたりすることなく収納がなされるため、玄関スペース２を邪魔することなく出入りがスムーズに行え、安全である。
【００３３】
また、下足棚８,８・・・を設ける収納家具ユニット本体１Ａ内には、左右何れかの側面板３,３に対向して収納家具ユニット本体１Ａ内の所望高さに設けられる前記下足棚８の下面に垂下した支持板１４の壁面には対向して奥行方向Ｚに沿って係合手段９,９を設け、しかも、この対向する係合手段９,９には、収納家具ユニット本体１Ｂ内に収納される深さＨが深い収納籠体１０よりも例えば１０ｃｍ以下と深さＨが浅く、上面が開放された略箱形の収納籠体１０′の上部外側縁、例えば左右に突設した係合鍔１０′ａが摺動可能に係合されているので、この収納籠体１０′には、例えば靴磨きに必要なブラシ、靴クリーム、磨布等の用具等の物品を収納することができるとともに使用時には係合手段９,９に対し係合鍔１０ａを摺動案内することにより収納籠体１０′を引出して使用に供することができる。しかも、収納籠体１０′の網目よりも小さい物品、例えば印鑑、筆記具を収納する場合には、前記収納籠体１０の底部に収納される受皿１１と同様に受皿を収容することにより物品が網目から抜け出さないようにすれば便利である。
【００３４】
また、収納家具ユニット本体１Ａの前面に開閉可能に設けられる扉７,７の裏面には、合成樹脂又は金属線よりなる平面略コ字状のスリッパ掛け１５が所望の個所にビス止め等の適宜固定手段により所望個数着脱自在に取付られているので、このスリッパ掛け１５と扉７の裏面との間に生ずる間隙内にスリッパ１６の下半部を挿入して首部１６ａをスリッパ掛け１５に係止させることによりスリッパ１６を抜差し可能に収納家具ユニット本体１Ａ内の空きスペースＰを利用して収納することもできるとともに使用に供することができる。
【００３５】
【発明の効果】
以上のように本発明の請求項１に記載の発明は、玄関スペースに備えられ、下足棚を内部に設ける収納家具ユニット本体に対する空きスペース部分において対向される壁面の奥行方向に沿って対向して係合手段を設け、適宜物品を収納する収納籠体の上部外側縁に突設した係合鍔を前記係合手段に摺動可能に係合させることにより前記収納籠体を抜差自在に設けたことを特徴とし、また、本発明の請求項２に記載の発明は、玄関スペースに備えられ、下足棚を内部に設ける収納家具ユニット本体に隣接する空きスペース部分において組み合わせ使用される他の収納家具ユニット本体の左右に対向する側面板に奥行方向に沿って対向して係合手段を設け、適宜物品を収納する収納籠体の上部外側縁に突設した係合鍔を前記係合手段に摺動可能に係合させることにより前記収納籠体を抜差自在に設けたことを特徴とし、また、本発明の請求項３に記載の発明は、玄関スペースに備えられ、内部に下足棚を設ける収納家具ユニット本体の左右何れかの側面板と該側面板の奥行方向に沿って対向して下足棚間に係合手段を設け、適宜物品を収納する収納籠体の上部外側縁に突設した係合鍔を前記係合手段に摺動可能に係合させることにより前記収納籠体を抜差自在に設けたことを特徴とするので、下足棚を備える収納家具ユニット本体に隣接する空きスペースを物品の長さや大きさに合わせて自由に変更して有効活用がはかれ、また外観的にも下足棚を備える収納家具ユニット本体に対する統一性を発揮し、また物品が不用意に倒れることなく、整然と収納することができ、玄関での出入りが円滑に行え、さらには内部に収納する物品を一見して把握でき、また、清掃も容易に行え、構造が簡単にして製作および組立が容易で製作コストが安価な玄関回りに設置することができる。
【００３６】
また、本発明の請求項４に記載の発明は、請求項１，２,３において、前記係合手段は、断面略Ｈ字状、断面略コ字状、もしくは断面略Ｌ字状の何れかのレール材であることを特徴とするので、玄関スペースに備えられ、下足棚を内部に設ける収納家具ユニット本体に対する空きスペース部分において対向配置される壁面に奥行方向に沿って対向して設ける係合手段の下側に配した案内支持部に収納籠体の上部外側縁に突設した係合鍔を摺動可能に支持するため、収納籠体を抜き差可能にすることができ、また支持手段は簡単な構造であり、製造および組付が簡単で安価に製作することができる。
【００３７】
また、本発明の請求項５に記載の発明は、請求項１,２,３,４において、前記係合手段には、フック材が吊り下げ可能になる網棚の両側縁を係合載置することを特徴としたという手段を採用したので、玄関スペースに備えられ、下足棚を内部に設ける収納家具ユニット本体に対する空きスペース部分において対向配置される壁面に奥行方向に沿って所望高さ、所望個数を対向して設ける係合手段の下側に配した案内支持部に係合載置される網棚に吊り下げたフック材を介してコート、レインコート等に物品を吊り下げることができる。
【００３８】
また、本発明の請求項６に記載の発明は、請求項１,２,３,４,５において、前記収納籠体は、合成樹脂または金属線により所望深さに上面が開口された略箱形に形成されることを特徴とするので、汚れた場合には水洗いするなどして掃除が簡単かつ確実に行え、しかも量産可能であり、製作コストも廉価である。
【００３９】
また、本発明の請求項７に記載の発明は、請求項１,２,３,４,５,６において、前記収納籠体は、上部外側縁に突設される係合鍔の下方にくびれ部を介して下方部を前記係合鍔と略同幅に拡大して形成されたので、収納籠体内に収納される物品の収容量を拡大することができる。
【００４０】
また、本発明の請求項８に記載の発明は、請求項１,２,３,４,５,６,８において、前記収納籠体には、必要に応じて金属製または合成樹脂製の受皿が底部に収納可能に設けられたことを特徴とするので、必要に応じて収納籠体の底部には、金属製または合成樹脂製の受皿を収納しておくと、この受皿により物品が収納籠体の網目から落下するのを防止して収納籠体内に物品を収納するほか、物品の重量が大きい場合には収納籠体内に収納される受皿が剛性を発揮して物品の重量に耐えて堅牢に物品を支持することができ、さらには物品が長傘である場合には、長傘に付着された雨水は受皿に受け止められて流れ落ちるのを防止して汚れを防止することができる。
【００４１】
また、本発明の請求項９に記載の発明は、請求項１,２,３,４,５,６,７,８において、前記収納家具ユニット本体の前面に開閉可能に設けられる扉の裏面等の所望の個所に合成樹脂又は金属線よりなる平面略コ字状のスリッパ掛けを着脱可能に取付たことを特徴とするので、スリッパ掛けと扉の裏面との間に生ずる間隙内にスリッパの下半部を挿入して首部をスリッパ掛けに係止させることによりスリッパを抜差し可能に収納家具ユニット本体内の空きスペースを利用して収納することもできるとともに使用に供することができ、しかも構造簡単で製作および組付けは簡単で製作コストは安価になる。
【図面の簡単な説明】
【図１】図１は本発明の玄関回りに設置可能な収納家具ユニットの一実施形態を示し、扉を取去った状態を示す正面図である。
【図２】図２は同じく扉を閉じた状態の正面図である。
【図３】図３は図２のＡ−Ａ断面図である。
【図４】図４は同じく図２のＢ−Ｂ断面図である。
【図５】図５は本実施形態を構成する下足棚を備えた収納家具ユニット本体を示す拡大斜視図である。
【図６】図６は同じく空きスペースに収納籠体を収納した本実施形態を構成する他の収納家具ユニット本体を示す拡大斜視図である。
【図７】図７は同じく正面図である。
【図８】図８は同じく本実施形態を構成する収納籠体の係合鍔を係合手段に係止した状態を部分的に示した拡大正面図である。
【図９】図９は本実施形態を構成する収納籠体の他の変形例を示す拡大正面図である。
【図１０】図１０は本実施形態を構成する係合手段の他の変形例を示す拡大正面図である。
【図１１】図１１は同じく係合手段の第２の変形例を示す拡大正面図である。
【図１２】図１２は同じく本実施形態を構成するスリッパ掛けを適用した斜視図である。
【符号の説明】
１Ａ      収納家具ユニット本体
１Ｂ      収納家具ユニット本体
２        玄関スペース
３        側面板
３′      側面板
４        天面板
５        地面板
６        背板
７        扉
８        下足棚
９        係合手段
９ａ      取付部
９ｂ      案内支持部
１０      収納籠体
１０ａ    係合鍔
１０ｂ    くびれ部
１０ｃ    下方部
１０′    収納籠体
１０′ａ  係合鍔
１２      網棚
１２ａ    両側縁
１４      支持板
Ｐ        設置スペース
Ｚ        奥行方向
【図１】
2004194714.tif 000003
【図２】
2004194714.tif 000004
【図３】
2004194714.tif 000005
【図４】
2004194714.tif 000006
【図５】
2004194714.tif 000007
【図６】
2004194714.tif 000008
【図７】
2004194714.tif 000009
【図８】
2004194714.tif 000010
【図９】
2004194714.tif 000011
【図１０】
2004194714.tif 000012
【図１１】
2004194714.tif 000013
【図１２】
2004194714.tif 000014